(57)【要約】【課題】製造工程及び製造コストを増大させることなく製造することができる、放熱特性に優れたフレキシブルプリント配線板、該フレキシブルプリント配線板を備える電子機器及び前記フレキシブルプリント配線板の製造方法の提供を課題とする。【解決手段】発熱性の電子部品２０を実装するためのフレキシブルプリント配線板１０であって、基材１１の表裏両面に導電層１２を設けてあるものにおいて、裏面側の導電層１２のうち、前記電子部品２０の直下を含む電子部品近傍領域Ｋに、凹凸パターンからなる放熱構造を設けてあると共に、前記基材１１の表裏の導電層１２を、前記電子部品近傍領域Ｋに設けたブラインドビアホールＢを介して電気接続してある。【選択図】      図１
2012094637.tif 000002
【特許請求の範囲】
【請求項１】
発熱性の電子部品を実装するためのフレキシブルプリント配線板であって、基材の表裏両面に導電層を設けてあるものにおいて、裏面側の導電層のうち、前記電子部品の直下を含む電子部品近傍領域に、凹凸パターンからなる放熱構造を設けてあると共に、前記基材の表裏の導電層を、前記電子部品近傍領域に設けたブラインドビアホールを介して電気接続してあることを特徴とするフレキシブルプリント配線板。
【請求項２】
前記凹凸パターンは、エッチングによる凹部を形成してなることを特徴とする請求項１に記載のフレキシブルプリント配線板。
【請求項３】
請求項１又は２に記載のフレキシブルプリント配線板を備えることを特徴とする電子機器。
【請求項４】
請求項２に記載のフレキシブルプリント配線板の製造方法であって、前記凹部の形成は、前記表裏の導電層に回路パターンを形成するための回路パターン形成工程における、エッチングの際に同時に行うことを特徴とするフレキシブルプリント配線板の製造方法。
【発明の詳細な説明】
【技術分野】
【０００１】
本発明は、フレキシブルプリント配線板、該フレキシブルプリント配線板を備える電子機器及び前記フレキシブルプリント配線板の製造方法に関する。
【背景技術】
【０００２】
照明用をはじめとして、フレキシブルプリント配線板（Ｆｌｅｘｉｂｌｅ  ｐｒｉｎｔｅｄ  ｃｉｒｃｕｉｔｓ：以下、ＦＰＣとする。）に発熱性の電子部品を実装する場合が増えてきている。
このような発熱性の電子部品は、駆動時に自己が発生する熱によって、電気的特性の低下や光学的特性の低下等の性能劣化が起こることから、放熱機能を持ったＦＰＣの需要が増えてきている。
従来、放熱機能を持ったＦＰＣとしては、ＦＰＣにヒートシンクや放熱用のシートを取り付けるものが一般的であった。
そのようなＦＰＣを示すものとして、例えば下記特許文献１、２がある。
【先行技術文献】
【特許文献】
【０００３】
【特許文献１】特開２００６−２８６６８０号公報
【特許文献２】特開２０１０−９８１２８号公報
【発明の概要】
【発明が解決しようとする課題】
【０００４】
上記特許文献１は、配線基板に関する発明で、はんだ付け部が温度サイクルで剥離することがない、グリースレスの回路基板を提供することができるメリットがある。
また上記特許文献２は、放熱構造体に関する発明で、発熱性デバイスが発生する熱を効率よく放散することが可能であると共に、発熱性デバイスの電気的特性に悪影響を与える炭素粉等の塵の発生及び金属繊維の突起がない放熱構造を提供することができるメリットがある。
しかし上記特許文献１、２は、何れもＦＰＣに別部材であるヒートシンクや放熱シートを取り付ける構成であることから、放熱機能を持ったＦＰＣの製造において、ヒートシンクや放熱シートをＦＰＣに取り付けるための工程が増えると共に、部品等のコストが増大するという問題があった。
【０００５】
そこで本発明は上記従来技術における問題点を解消し、製造工程及び製造コストを増大させることなく製造することができる、放熱特性に優れたフレキシブルプリント配線板、該フレキシブルプリント配線板を備える電子機器及び前記フレキシブルプリント配線板の製造方法の提供を課題とする。
【課題を解決するための手段】
【０００６】
本発明のフレキシブルプリント配線板は、発熱性の電子部品を実装するためのフレキシブルプリント配線板であって、基材の表裏両面に導電層を設けてあるものにおいて、裏面側の導電層のうち、前記電子部品の直下を含む電子部品近傍領域に、凹凸パターンからなる放熱構造を設けてあると共に、前記基材の表裏の導電層を、前記電子部品近傍領域に設けたブラインドビアホールを介して電気接続してあることを第１の特徴としている。
【０００７】
上記本発明の第１の特徴によれば、フレキシブルプリント配線板は、発熱性の電子部品を実装するためのフレキシブルプリント配線板であって、基材の表裏両面に導電層を設けてあるものにおいて、裏面側の導電層のうち、前記電子部品の直下を含む電子部品近傍領域に、凹凸パターンからなる放熱構造を設けてあると共に、前記基材の表裏の導電層を、前記電子部品近傍領域に設けたブラインドビアホールを介して電気接続してあることから、発熱性の電子部品が駆動時に発生する熱を、電子部品近傍領域に設けてある凹凸パターンによる放熱構造で効率良く且つ迅速に放熱させることができる。よって放熱特性に優れたフレキシブルプリント配線板とすることができる。
【０００８】
また本発明のフレキシブルプリント配線板は、上記本発明の第１の特徴に加えて、前記凹凸パターンは、エッチングによる凹部を形成してなることを第２の特徴としている。
【０００９】
上記本発明の第２の特徴によれば、上記本発明の第１の特徴による作用効果に加えて、前記凹凸パターンは、エッチングによる凹部を形成してなることから、凹凸パターンの形成を容易なものとすることができる。よって製造工程及び製造コストを増大させることなく製造することができる、放熱機能を備えたフレキシブルプリント配線板とすることができる。
【００１０】
また本発明の電子機器は、上記第１又は第２の特徴に記載のフレキシブルプリント配線板を備えることを第３の特徴としている。
【００１１】
上記本発明の第３の特徴によれば、電子機器は、上記第１又は第２の特徴に記載のフレキシブルプリント配線板を備えることから、製造工程及び製造コストを増大させることなく製造することができる、放熱特性に優れた電子機器とすることができる。
【００１２】
また本発明のフレキシブルプリント配線板の製造方法は、上記第２の特徴に記載のフレキシブルプリント配線板の製造方法であって、前記凹部の形成は、前記表裏の導電層に回路パターンを形成するための回路パターン形成工程における、エッチングの際に同時に行うことを第４の特徴としている。
【００１３】
上記本発明の第４の特徴によれば、フレキシブルプリント配線板の製造方法は、上記第２の特徴に記載のフレキシブルプリント配線板の製造方法であって、前記凹部の形成は、前記表裏の導電層に回路パターンを形成するための回路パターン形成工程における、エッチングの際に同時に行うことから、製造工程及び製造コストを増大させることなく、放熱特性に優れたフレキシブルプリント配線板を製造することができる。
【発明の効果】
【００１４】
本発明のフレキシブルプリント配線板、該フレキシブルプリント配線板を備える電子機器、前記フレキシブルプリント配線板の製造方法によれば、製造工程及び製造コストを増大させることなく製造することができる、放熱特性に優れたフレキシブルプリント配線板、該フレキシブルプリント配線板を備える電子機器及び前記フレキシブルプリント配線板の製造方法とすることができる。
【図面の簡単な説明】
【００１５】
【図１】本発明の実施形態に係るフレキシブルプリント配線板を示す図で、（ａ）は平面図、（ｂ）は底面図、（ｃ）は（ａ）のａ−ａ線方向における断面図である。
【図２】本発明の実施形態に係るフレキシブルプリント配線板における電子部品で発生した熱がフレキシブルプリント配線板内を移動する状態を模式的に示した図である。
【図３】本発明の実施形態に係るフレキシブルプリント配線板の製造工程を簡略化して示す断面図である。
【図４】本発明の実施形態に係るフレキシブルプリント配線板の製造工程を簡略化して示す断面図である。
【発明を実施するための形態】
【００１６】
以下の図面を参照して、本発明に係るフレキシブルプリント配線板、該フレキシブルプリント配線板を備える電子機器及び前記フレキシブルプリント配線板の製造方法についての実施形態を説明し、本発明の理解に供する。しかし、以下の説明は本発明の実施形態であって、特許請求の範囲に記載の内容を限定するものではない。
【００１７】
まず図１、図２を参照して、本発明の実施形態に係るフレキシブルプリント配線板１０、フレキシブルプリント配線板１０を備える電子機器について説明する。
【００１８】
本発明の実施形態に係るフレキシブルプリント配線板１０は、表面に実装する発熱性の電子部品が駆動時に発生する熱を放熱させるための機能を備えるフレキシブルプリント配線板であり、図示しない携帯電話機等の電子機器の内部に配設されるものである。
より具体的には、フレキシブルプリント配線板１０は、表裏両面に導電層を設けてある、いわゆる両面フレキシブルプリント配線板であり、表面側に実装する電子部品と図示しない外部配線とを電気接続する機能と、電子部品が駆動時に発生する熱を放熱させる機能とを主として備えるものである。
【００１９】
このフレキシブルプリント配線板１０は、図１（ｃ）に示すように、基材１１と、導電層１２と、めっき層１３と、カバーレイ層１４とから構成される。
【００２０】
前記基材１１は、フレキシブルプリント配線板１０の基台となるものであり、絶縁性の樹脂フィルムで形成されている。
樹脂フィルムとしては、柔軟性に優れた樹脂材料からなるものが使用される。例えばポリイミドフィルムやポリエステルフィルム等のフレキシブルプリント配線板を形成する樹脂フィルムとして通常用いられるものであれば、如何なるものであってもよい。
また特に、柔軟性に加えて高い耐熱性をも有しているものが望ましい。例えばポリアミド系の樹脂フィルムや、ポリイミド、ポリアミドイミドなどのポリイミド系の樹脂フィルムや、ポリエチレンナフタレートを好適に用いることができる。
また耐熱性樹脂としては、ポリイミド樹脂、エポキシ樹脂等、フレキシブルプリント配線板を形成する耐熱性樹脂として通常用いられるものであれば、如何なるものであってもよい。
【００２１】
また本実施形態においては、図１（ｃ）に示すように、基材１１における電子部品２０の直下を含む電子部品近傍領域Ｋに、ブラインドビアホールＢを形成する貫通孔１１ａを設けてある。
なお、ここで及び以下の説明において、電気部品近傍領域とは「電子部品の側面から外側に１〜３ｍｍ程度の距離で囲まれる領域」を意味するものとする。
なお基材１１の厚みは、用途に応じて適宜変更可能である。より具体的には、一般的な用途としては１２．５〜２５μｍ程度とし、特殊用途としては５０μｍ程度としてもよい。
【００２２】
前記導電層１２は、電子部品２０と外部配線との電気接続を行うための回路パターンと、電子部品２０で発生した熱を放熱させるための後述する放熱構造とを備える層である。
この導電層１２は、導電性金属箔からなり、図１（ｃ）に示すように、基材１１の表裏両面に積層されている。
また本実施形態においては、図１（ｃ）に示すように、導電層１２における電子部品近傍領域Ｋに、貫通孔１２ａを設け、この貫通孔１２ａと既述した貫通孔１１ａとでブラインドビアホールＢが形成されている。そしてこのブラインドビアホールＢの内孔の表面及びブラインドビアホールＢの開口部の周縁領域を被覆するめっき層１３を介して、基材１１の表裏両面に積層されている導電層１２が電気接続されている。
また詳細には図示していないが、基材１１の表面側に積層される導電層１２のうち、電子部品２０を実装する部分には、電子部品２０の電極と半田Ｈを介して電気接続される回路パターンが形成されている。
【００２３】
なおブラインドビアホールＢ（貫通孔１１ａ及び貫通孔１２ａ）の直径は、０．１〜０．３ｍｍ程度とすることが望ましい。
またブラインドビアホールＢの数は本実施形態のものに限るものではなく、適宜変更可能である。が、ブラインドビアホールＢの形成位置は、電子部品近傍領域Ｋであることが必要である。
また導電性金属箔としては、例えば銅（Ｃｕ）を用いることができる。勿論、銅（Ｃｕ）に限るものではなく、フレキシブルプリント配線板の導電層を形成する導電性金属箔として通常用いられるものであれば、如何なるものであってもよい。
また導電層１２の厚みは、用途に応じて適宜変更可能である。より具体的には、一般的な用途としては１２〜１８μｍ程度とし、特殊用途としては９μｍ程度や３５μｍ程度としてもよい。
また回路パターンは、導電層１２をエッチングする等の公知の形成方法を用いて形成することができる。
【００２４】
前記めっき層１３は、基材１１の表裏両面の導電層１２に形成される回路パターンを電気接続すると共に、電子部品２０が駆動時に発生する熱を伝熱、放熱させるための金属被膜層である。
本実施形態においては、図１（ｃ）に示すように、導電層１２と、ブランドビアホールＢの内孔の表面及びブラインドビアホールＢの開口部の周縁領域とを無電解めっき、電解めっき等の公知の形成方法を用いて銅めっきすることで、めっき層１３が形成されている。
【００２５】
また本実施形態においては、図１（ｂ）、（ｃ）に示すように、裏面側の導電層１２及びめっき層１３のうち、電子部品近傍領域Ｋに、エッチングによる複数の凹部Ｕを形成することで、複数の凹部Ｕと複数の凸部Ｔとで形成される凹凸パターンからなる放熱構造を設けてある。
ここで既述したように、基材１１の表裏両面に積層されている導電層１２は、電子部品近傍領域Ｋに設けたブラインドビアホールＢを介して電気接続されている。
よって図２の白抜き矢印で示すように、基材１１の表面側の導電層１２に実装する電子部品２０が駆動時に発生する熱を、フレキシブルプリント配線板１０の表面側だけでなく、ブラインドビアホールＢの内孔の表面及びブラインドビアホールＢの開口部の周縁領域を被覆するめっき層１３を介して、裏面側の導電層１２まで伝熱させ、凹凸パターンからなる放熱構造からも空気との熱交換（対流・輻射）によって放熱させることができる。
また放熱構造を凹凸パターンで形成することで、簡易な構成で放熱構造の表面積を大きくすることができ、電子部品２０が駆動時に発生する熱を効率よく放熱させることができる。
またブラインドビアホールＢ及び凹凸パターンからなる放熱構造を、ともに電子部品近傍領域Ｋに設ける構成とすることで、電子部品２０から放熱構造までの熱経路の距離を短くすることができる。よって電子部品２０が駆動時に発生する熱を、凹凸パターンからなる放熱構造へ迅速に伝熱させ、放熱させることができる。従って放熱特性に優れたフレキシブルプリント配線板１０とすることができる。
なお図２は、図１（ｃ）に示す断面図と同様の図であるが、熱の移動を効果的に図示するために、断面図におけるハッチングを省略して図示するものとする。
【００２６】
更に電子部品２０が発生する熱を、凹凸パターンからなる放熱構造に伝熱させるための伝熱経路に、ブラインドビアホールＢを介在させる構成とすることで、貫通孔１１ａ、１２ａ内を、熱伝導率が大きい銅からなるめっき層１３で十分に埋めることができ、熱抵抗を小さくすることができる。よって一段と放熱特性に優れたフレキシブルプリント配線板とすることができる。
またフレキシブルプリント配線板１０の厚みを薄肉なものとすることができ、薄肉化が可能なフレキシブルプリント配線板１０とすることができる。
【００２７】
またこの凹部Ｕは、回路パターン形成工程における、導電層１２に回路パターンを形成するためのエッチングの際に回路パターンと同時に形成してある。
このような構成とすることで、フレキシブルプリント配線板１０に放熱用のヒートシンクや放熱シート等の別部材を取り付けることなく、電子部品近傍領域Ｋの導電層１２及びめっき層１３をエッチングするだけで、凹凸パターンからなる放熱構造を容易に形成することができる。また凹部Ｕと回路パターンとを同一工程で同時に形成することができる。
【００２８】
つまり従来、駆動時に発熱を伴う電子部品を実装するフレキシブルプリント配線板における放熱構造としては、ヒートシンクや放熱シート等の別部材をフレキシブルプリント配線板に取り付ける構成をとるものが一般的であった。
このような構成においては、フレキシブルプリント配線板の製造工程において、放熱構造を形成するために別工程や別部材が必要となることから、製造工程及び製造コストが増大するという問題があった。
【００２９】
これに対して本発明の構成とすることで、フレキシブルプリント配線板１０の製造工程において、別工程や別部材を追加することなく、裏面側の導電層１２のうち、電子部品近傍領域Ｋに、凹凸パターンからなる放熱構造を容易に設けることができる。
よって製造工程及び製造コストを増大させることなく製造することができる、放熱特性に優れたフレキシブルプリント配線板１０及びフレキシブルプリント配線板１０を備える電子機器とすることができる。
【００３０】
なお凹部Ｕの数、形状、大きさ等は本実施形態のものに限る必要はなく、適宜変更可能である。が、凹部Ｕの形成位置は、電子部品近傍領域Ｋであることが必要である。
また図１（ｃ）に示すように、本実施形態においては、ブランドビアホールＢの内孔の表面及びブラインドビアホールＢの開口部の周縁領域を被覆するめっき層１３に空間を残す構成としたが、必ずしもこのような構成に限るものではなく、めっき層１３に空間を残さない構成としてもよい。このような構成とすることで、一段と熱抵抗を小さくすることができ、一段と良好な放熱性を実現することができる。
【００３１】
前記カバーレイ層１４は、フレキシブルプリント配線板１０の絶縁層を形成する層である。このカバーレイ層１４は、基材１１、導電層１２、めっき層１３の一部にポリイミドフィルムを熱プレス若しくは絶縁性樹脂インクを用いて印刷することで形成することができる。
なお絶縁性樹脂インクとしては、例えばポリイミドインクやエポキシ樹脂インク等を用いることができる。
またカバーレイ層１４の厚みは、用途に応じて適宜変更可能である。より具体的には、一般的な用途としては１２．５〜２５μｍ程度とし、特殊用途としては５０μｍ程度としてもよい。
【００３２】
前記電子部品２０は、駆動時に発熱を伴う半導体素子である。
本実施形態においては、半導体素子として、ＬＥＤを用いている。勿論、ＬＥＤに限るものではなく、集積回路（Ｉｎｔｅｇｒａｔｅｄ  Ｃｉｒｃｕｉｔ：以下、ＩＣとする。）等、フレキシブルプリント配線板１０を用いる電子機器の構成に合わせて適宜変更可能である。
また電子部品２０の大きさ、数等も本実施形態のものに限らない。
【００３３】
次に図３、図４を参照して、本発明の実施形態に係るフレキシブルプリント配線板１０の製造方法及び電子部品２０のフレキシブルプリント配線板１０への実装方法を説明する。
【００３４】
まず図３（ａ）に示すように、基材１１の両面に銅箔からなる導電層１２を積層した基板を用意する。
そして図３（ｂ）に示す、ブラインドビアホール形成工程Ｖにより、基材１１の裏面側に積層される導電層１２の所定位置をエッチングし、銅箔に貫通孔１２ａを形成する。
そして図３（ｃ）に示す、ブラインドビアホール形成工程Ｖにより、基材１１の所定位置（貫通孔１２ａ部分）にレーザーを照射し、貫通孔１１ａを形成する。これにより貫通孔１１ａ及び貫通孔１２ａとでブラインドビアホールＢが形成される。
そして図３（ｄ）に示す、めっき工程Ｗにより、裏面側の導電層１２と、ブラインドビアホールＢの内孔の表面及びブラインドビアホールＢの開口部の周縁領域とを、銅めっきを用いて被覆することで、めっき層１３を形成する。
そして図４（ａ）に示す、回路パターン形成工程Ｘにより、回路パターン形成部分及び凹部Ｕ形成部分にエッチングマスクラミネートを施し、マスク現像し、エッチングし、エッチングマスクを剥離することで、詳細には図示しない回路パターン及び複数の凹部Ｕを同時に形成する。
そして図４（ｂ）に示す、カバーレイ層形成工程Ｙにより、基材１１、導電層１２、めっき層１３の一部にポリイミドフィルムを熱プレス若しくは絶縁性樹脂インクを用いて印刷することで、カバーレイ層１４を形成する。なお絶縁性樹脂インクとしては、例えばポリイミドインクやエポキシ樹脂インク等を用いることができる。
以上の工程を経て、本発明の実施形態に係るフレキシブルプリント配線板１０が製造される。
そして図４（ｃ）に示す、電子部品実装工程Ｚにより、めっき層１３における電子部品２０の実装箇所に半田Ｈを印刷した後、電子部品２０を搭載し、リフロー処理することで、電子部品２０をフレキシブルプリント配線板１０に実装する。
このように電子部品２０を実装するフレキシブルプリント配線板１０は、図示しない携帯電話機等の電子機器内部に配設される。
【産業上の利用可能性】
【００３５】
本発明によれば、発熱性の電子部品（ＬＥＤやＩＣ等）を実装するフレキシブルプリント配線板において、製造工程及び製造コストを増大させることなく製造することができる、放熱特性に優れたフレキシブルプリント配線板、該フレキシブルプリント配線板を備える電子機器及び前記フレキシブルプリント配線板の製造方法とすることができることから、発熱性の電子部品を実装するフレキシブルプリント配線板及び該フレキシブルプリント配線板を備える電子機器の分野における産業上の利用性が高い。
【符号の説明】
【００３６】
１０        フレキシブルプリント配線板
１１        基材
１１ａ      貫通孔
１２        導電層
１２ａ      貫通孔
１３        めっき層
１４        カバーレイ層
２０        電子部品
Ｂ          ブラインドビアホール
Ｈ          半田
Ｋ          電子部品近傍領域
Ｔ          凸部
Ｕ          凹部
Ｖ          ブラインドビアホール形成工程
Ｗ          めっき工程
Ｘ          回路パターン形成工程
Ｙ          カバーレイ層形成工程
Ｚ          電子部品実装工程
【図１】
2012094637.tif 000003
【図２】
2012094637.tif 000004
【図３】
2012094637.tif 000005
【図４】
2012094637.tif 000006